(57)【要約】      （修正有）【課題】市販されている着物を一部手直しすることによって簡単でかつ美しく着つける事ができる着物を提供する。【解決手段】既に仕立て上がっている着物に衣紋ガイド紐４、胸紐５、ゴムベルト６を使用し、丈の長い分は着る人に合わせてウエスト部分で折り上げて縫った着物であって、長襦袢の裏側に衣紋ガイド紐を付け衿にはゴムベルトを付け、着物の衿には胸紐とゴムベルトを付け、浴衣の裏側には衣紋ガイド紐、衿には胸紐とゴムベルトを付け、着物、浴衣の丈は着る人に合わせて長い分はウエスト部分で折り上げて縫う。【選択図】図１
0003234310.tif 000002
【実用新案登録請求の範囲】
【請求項１】
簡単で美しく着れる着物
既に仕立て上がっている着物を美しく簡単に着れるようにするため一部手直しする。
長襦袢は裏側に衣紋ガイド紐と衿にゴムベルトを付ける。着物は衿に胸紐とゴムベルトを付ける。浴衣は裏側に衣紋ガイド紐を付け衿にゴムベルトと胸紐を付ける。浴衣と着物丈はウエスト部分で着る人に合わせて長い分を折上げて縫う。
【考案の詳細な説明】
【技術分野】
【０００１】  本考案は、既に仕立て上がっている着物に衣紋ガイド紐、衿先にゴムベルト、紐を追加し、丈をウエスト部分で着る人に合わせて長い分を折上げて縫う事で簡単に美しく着れる着物である。
【背景技術】
【０００２】  毎年夏に浴衣等をよく見かけるが、その中には美しくない着方が多く見られ残念である。又、近年世界でも着物は美しいと称され多くの海外の人たちに興味を持たれているが着付けが難しく買って行ってもしょうがないという声もあるのは事実である。さらに車椅子の人や障害者の人にも着付けの時間を長く取ることは難しく従来の着物では非常に不便である。
【考案の概要】
【考案が解決しようとする課題】
【０００３】  実際に市販されている簡単着物等は確かに数分で着れるが衿元・衣紋が安定せずおはしょり等が不安定で折角の着物の美しさを台無しにしている事が多くこれを解決しようと考えたものである。
【課題解決するための手段】
【０００４】  着物は洋服のように体の丸みに合わせて作られておらず、さらに丈が長く作られておりこれを着付けによって体に合わせ着ることになる。そのため衣紋の抜き、胸元のあわせ、おはしょり、裾線の決めがポイントなる。そのポイントを簡単に決めるため既にある着物を手直しする。衣紋ガイド紐、ゴムベルト、紐を追加し、丈をウエスト部分で着る人に合わせて長い分を折上げて縫うことにより問題を解決した。
【考案の効果】
【０００５】  すでに市販されている簡単着物は数多くあるが、見栄えが良くないものが多い。よって衣紋ガイド紐、ゴムベルト、紐の追加し、ウエスト部分で着る人に合わせて長い分を折上げて縫うなどの一部手直しをする事により簡単だけではなく美しく着れる効果がある。
【図面の簡単な説明】
【０００６】
【図１】手直し部分の全体図である。
【図２】長襦袢、浴衣の裏側に衣紋ガイド紐をつけた図である。長襦袢の衿、左右にゴムベルトを付けた図である。
【図３】図２による効果を表した図である。
【図４】着物、浴衣丈を着用する人の長さに合わせるための調整の仕方の図である。
【図５】図４のウエスト部分の拡大図
【図６】着物、浴衣の「おはしょり」を真っ直ぐにするための処理の仕方の図である。
【図７】着物、浴衣の衿に胸紐、ゴムベルトを付ける図である。
【図８】図７による効果を表した図である。
【考案を実施するための形態】
【０００７】美しく見える着物姿の着方には、いくつかのポイントが有りそのポイントをなるべく簡単にできるように工夫した。
ポイントとは衿元、おはしょり、裾線、衣紋、裾が先つぼまりになっているかである。
そのため衣紋ガイド紐、ゴムベルトを付け、着物丈の長い分を  おはしょり部分で縫い上げた。
【実施例】
【０００８】図１のように▲１▼１、２の裏側に４付ける。▲２▼１の衿には６を付ける。２，３の衿には、５，６を付ける。▲３▼２，３の着物丈の長い部分はウエスト部分にも持っていき二重に重なった下の布を少しずらして縫う。
図２のように▲１▼１，２の裏側に背中心から約１８ｃｍのところに４を付ける（これを衣紋ガイド紐とする）その紐の長さは約片方７５ｃｍとし１，２の内側、前で結ぶ。
▲２▼１の衿左右に６を付ける。長さは約７０ｃｍとする。
図３は図２による効果である。衣紋の抜きが安定し胸元の合わせが簡単になる。衣紋ガイド紐を結ぶ事とゴムベルトの金具を留めるだけなので苦しくなく着用できる。
図４のように２、３丈を着用する人に合った長さにするため「ウエスト部分」に余った布を持っていく。そのため「ウエスト部分」の布が二重になっている。普通に二重にして真っ直ぐに縫うと裾線が綺麗に整わないので二重になった下の布を少しずらして点線部分のように少し斜めに縫う。
図５は図４の「ウエスト部分」の拡大図である。
▲１▼背中心ＤからＡまで２枚に重なっている「ウエスト部分」の下になっている布を少し斜めに下げて点線部分を縫う。（効果として上前の裾線が真っ直ぐになり褄先が少し上がり見た目が美しい）
▲２▼背中心ＤからＥまで真っ直ぐに縫う。
▲３▼ＥからＧまで重なっている「ウエスト部分」の下の布を少し斜めに引き上げて点線部分を縫う。（効果として下前の裾線が上がり「先つぼまり」になる。これによって下半身が締まって見える）
図６のように「おはしょり」を真っ直ぐにするため前は二重に重なっている上の布を持ち上げ▲１▼の長さを３の場合約４１ｃｍ、２の場合約４４ｃｍに調整して（Ａ）の点線部分を縫う。
後ろは▲２▼の長さが２、３とも約４１ｃｍになるように上の布を持ち上げ点線（Ｂ）部分を縫う。
図７のように３、２の衿に５と６を付ける。５の長さ片方約１００ｃｍ、６の長さ約７０ｃｍとする。
図８は図７による効果である。▲１▼のように５を前で結ぶ事により胸元が安定する。▲２▼６を前で留める事により２、３の腰回りが安定すると同時に裾線を簡単決める事ができる。
以上のような手直しによって衿元、衣紋、おはしょり、裾線、先つぼまりが簡単にきまり美しい着物姿にできる。
【符号説明】
【０００９】  １    長襦袢
２    浴衣
３    着物
４    衣紋ガイド紐
５    胸紐
６    ゴムベルト
７    おはしょり
図５に使用している符号
Ａ    衿
Ｂ    衽線
Ｃ    脇線
Ｄ    背中心
Ｅ    脇線
Ｆ    衽線
Ｇ    衿
【図１】
0003234310.tif 000003
【図２】
0003234310.tif 000004
【図３】
0003234310.tif 000005
【図４】
0003234310.tif 000006
【図５】
0003234310.tif 000007
【図６】
0003234310.tif 000008
【図７】
0003234310.tif 000009
【図８】
0003234310.tif 000010
【手続補正書】
【提出日】令和3年6月29日(2021.6.29)
【手続補正１】
【補正対象書類名】実用新案登録請求の範囲
【補正対象項目名】請求項１
【補正方法】変更
【補正の内容】
【請求項１】
簡単で美しく着れる着物とは、既に仕立て上がっている着物に衣紋ガイド紐、胸紐、ゴムベルトを使用し、丈の長い分は着る人に合わせてウエスト部分で折り上げて縫った着物、具体的には長襦袢の裏側に衣紋ガイド紐を付け衿にはゴムベルトを付け、着物の衿には胸紐とゴムベルトを付け、浴衣の裏側には衣紋ガイド紐、衿には胸紐とゴムベルトを付け、着物、浴衣の丈は着る人に合わせて長い分はウエスト部分で折り上げて縫う事を特徴とする着物。